(57)【要約】      （修正有）【課題】押し下げヘッドに設けられた雌ねじ部が、成形時にまくれ等の異常変形を起こすことを防止する液体噴出器を提供する。【解決手段】液体噴出器１は、押し下げヘッド９の頂壁２２から垂下する垂下壁２４の内周面に設けられた雌ねじ部２５と、リングキャップ１０の外周面に設けられた雄ねじ部１８ａとの螺合により、押し下げヘッド９を押し下げた状態でリングキャップ１０に係止可能であり、雌ねじ部２５は、頂壁２２と垂下壁２４との境界から隙間Ｇをあけて設けられるとともに、垂下壁２４の内周面から突出するようにねじ山が形成されている。【選択図】図１
2015085273.tif 000002
【特許請求の範囲】
【請求項１】
容器体の口部に装着される装着筒と、該装着筒により前記容器体の内部に下端を垂下させた状態で保持されるシリンダと、該シリンダの上端部に固定されるリングキャップと、
前記装着筒の上部開口より上方付勢状態で上下移動可能に突出するステムと、該ステムの上端部に固定された押し下げヘッドとを備え、
該押し下げヘッドの押圧、復帰動作により容器体の内容液を吸い上げて該押し下げヘッドに設けられたノズルより注出する液体噴出器であって、
前記押し下げヘッドの頂壁から垂下する垂下壁の内周面に設けられた雌ねじ部と、前記リングキャップの外周面に設けられた雄ねじ部との螺合により、前記押し下げヘッドを押し下げた状態で前記リングキャップに係止可能であり、
前記雌ねじ部は、前記頂壁と前記垂下壁との境界から隙間をあけて設けられるとともに、該垂下壁の内周面から突出するようにねじ山が形成されていることを特徴とする液体噴出器。
【発明の詳細な説明】
【技術分野】
【０００１】
本発明は、ノズルを備えた押し下げヘッドを押し下げた状態でねじ付けしておくことで流通時等におけるポンプの誤作動を防止し、使用時には、押し下げヘッドのねじ付けを解除することで、ポンプを正常に動作させることができる液体噴出器に関するものである。
【背景技術】
【０００２】
従来、この種の液体噴出器として、例えば特許文献１に記載されるようなものが知られている。このような従来の液体噴出器は、容器体の口部外周に取り付けた装着筒により容器体内に下端を垂下させた状態でシリンダを固定してなる固定吸引部と、該固定吸引部上端中央の開口より上方付勢状態で上下移動可能に突出させたステム上端部にノズル付き押し下げヘッドを設けた作動部材とを備え、該作動部材の上下移動により容器体内の液を吸い上げてノズルより噴出する如く構成するとともに、押し下げヘッドを押し下げた状態で固定吸引部に係止可能に構成してなる。
【０００３】
また、この種の液体噴出器においては、押し下げヘッドの頂壁から垂下する垂下壁の内周面に設けられた雌ねじ部が、容器体の口部に装着された固定吸引部の雄ねじ部に螺合することで、上記のねじ付けを可能としている。この雌ねじ部は、例えば図２（ａ）に示すように垂下壁２４の内面全体にわたって設けられているか、あるいは、図２（ｂ）に示すように頂壁２２との境界において垂下壁２４を厚肉形状とし、その下部に雌ねじ部２５を形成するようにしていた。
【先行技術文献】
【特許文献】
【０００４】
【特許文献１】特許第３６５７３７８号公報
【発明の概要】
【発明が解決しようとする課題】
【０００５】
このような押し下げヘッドを射出成形によって形成する場合、雌ねじ部は金型を無理抜きすることで形成されるが、図２（ａ）のように垂下壁２４の内面全体にわたって雌ねじ部２５が設けられている場合は、特に下方の雌ねじ部に金型が繰り返し当たる事になるのでまくれやだれ等の異常変形を生じてしまうという問題があった。一方、図２（ｂ）に示すように頂壁２２との境界において垂下壁２４を厚肉形状とし、その下部に雌ねじ部２５を形成する場合は、下方の雌ねじ部２５に対する金型の当たりを少なくすることができるものの、垂下壁２４が厚肉となるため使用する樹脂量が増える上、頂壁２２にひけが生じることが懸念された。
【０００６】
本発明は、上記問題を解決することを課題とし、押し下げヘッドに設けられた雌ねじ部が、成形時にまくれ等の異常変形を起こすことを防止する液体噴出器を提供することを目的とする。
【課題を解決するための手段】
【０００７】
本発明は、上記課題を解決するためになされたものであり、本発明の液体噴出器は、容器体の口部に装着される装着筒と、該装着筒により前記容器体の内部に下端を垂下させた状態で保持されるシリンダと、該シリンダの上端部に固定されるリングキャップと、
前記装着筒の上部開口より上方付勢状態で上下移動可能に突出するステムと、該ステムの上端部に固定された押し下げヘッドとを備え、
該押し下げヘッドの押圧、復帰動作により容器体の内容液を吸い上げて該押し下げヘッドに設けられたノズルより注出する液体噴出器であって、
前記押し下げヘッドの頂壁から垂下する垂下壁の内周面に設けられた雌ねじ部と、前記リングキャップの外周面に設けられた雄ねじ部との螺合により、前記押し下げヘッドを押し下げた状態で前記リングキャップに係止可能であり、
前記雌ねじ部は、前記頂壁と前記垂下壁との境界から隙間をあけて設けられるとともに、該垂下壁の内周面から突出するようにねじ山が形成されていることを特徴とする。
【０００８】
本発明の液体噴出器によれば、押し下げヘッドの垂下壁内面の雌ねじ部を、頂壁と垂下壁との境界から隙間をあけて設けるとともに、垂下壁の内周面から突出するようにねじ山を形成することで、下方の雌ねじ部への金型の当たりが減るだけでなく、離型時に垂下壁が撓みやすくなるので、金型と擦れて雌ねじ部が異常変形することを防止することができる。
【発明の効果】
【０００９】
本発明によれば、押し下げヘッドに設けられた雌ねじ部が、成形時にまくれ等の異常変形を起こすことを防止する液体噴出器を提供することが可能となる。
【図面の簡単な説明】
【００１０】
【図１】本発明の一実施形態に係る液体噴出器を容器体に装着し、押し下げヘッドを最上昇状態とした液体噴出器付き容器の要部を示す半断面図である。
【図２】（ａ）、（ｂ）はそれぞれ、比較例としての押し下げヘッドの断面図である。
【発明を実施するための形態】
【００１１】
以下、本発明の実施の形態を図面に基づいて詳細に例示説明する。
図１に示すように、本実施形態に係る液体噴出器１は、容器体２の口部３外周に取り付けた装着筒４により容器体２内に下端を垂下させた状態でシリンダ５を保持するとともに、装着筒４の上端中央の開口６より上方付勢状態で上下移動可能に突出させたステム７の上端部にノズル８付き押し下げヘッド９を設けている。液体噴出器１は、押し下げヘッド９の上下移動により容器体２内の内容液を吸い上げてノズル８より注出することができるとともに、押し下げヘッド９を押し下げた状態でシリンダ５の上端部に固定されたリングキャップ１０に係止可能に構成してなる。
【００１２】
装着筒４は、中央に開口６が形成された天壁１１と、天壁１１の外周縁から垂下する側壁１２とで構成され、側壁１２の内周面に、口部３の外周面に設けられた雄ねじ部に螺合する雌ねじ部１３を有する。装着筒４は、後述するシリンダ５のフランジ１４と、シリンダ５の上端部に嵌着されたリングキャップ１０とによって上下方向の移動を制限され、シリンダ５に対して回動可能に装着されている。
【００１３】
シリンダ５は、上下端が開口する筒状であり、外周上部から突出するフランジ１４が設けられるとともに、フランジ１４より下方の周壁に外気導入孔５ａが形成されている。フランジ１４の下面には、口部３の上端に当接するパッキンが設けられ、装着筒４の天壁１１と口部３の上端とにより圧接されている。また、シリンダ５の下端部は縮径して嵌合筒部１６が設けられ、該嵌合筒部１６内に上端を嵌着させたパイプ１５が容器体２内下端部に垂下する。また、シリンダ５内下端部には吸い込み弁１７を設けている。
【００１４】
リングキャップ１０は、ステム７を貫通させる案内筒１８を回転防止用の縦リブ１９を介してシリンダ５上端内周に回転不能に嵌合させるとともに、案内筒１８の上下方向中央から外周側に延びるフランジの外周縁に嵌合筒２０を垂設し、該嵌合筒２０内周をシリンダ５上端外周に凹凸係合手段を介して抜け出し不能に嵌合させて構成している。本実施形態において凹凸係合手段は、シリンダ５の上端部外周面に上下２段に設けられた突条２１と、それに対応する嵌合筒２０内周面に形成された上下２段の凹部で構成される。
【００１５】
押し下げヘッド９は、頂壁２２の中央から垂下し、ステム７の上端に嵌着する縦筒２３と、縦筒２３の外周側で頂壁２２より垂下する円筒状の垂下壁２４と、縦筒２３に連通するノズル８を有する。押し下げヘッド９は、垂下壁２４の内周面に、頂壁２２と垂下壁２４との境界から所定の隙間Ｇをあけて設けられた雌ねじ部２５を有する。雌ねじ部２５は、垂下壁２４の内周面から突出するようにねじ山が形成されている。なお、本実施形態において垂下壁２４における雌ねじ部２５上方の板厚ｔ１は雌ねじ部２５の溝底における板厚ｔ２と略同一である。
【００１６】
ステム７は、上下端が開口した上筒部２６と、上筒部２６の下端から縮径しつつ下方に延び、且つ周方向に間隔を空けて配置した複数の貫通孔２７を有する縮径部２８と、縮径部２８の下端に垂下した下筒部２９とを有する。また、上筒部２６の下端には、外周側にテーパ状に延びるスカート部を介して垂設した案内筒壁部３０を有する。
【００１７】
ステム７の下部には、ピストン部材３１を設けている。具体的には、ピストン部材３１は、ステム７の案内筒壁部３０の内周に液密に、且つ摺動可能に当接する筒状のシール筒３２と、シール筒３２の下端から外周側に延設したフランジの外周縁に連設した上方及び下方に向けて拡径するスカート状のピストン３３と、シール筒３２の下端に垂設した環状突起３４とからなる。ピストン３３は、シリンダ５に摺動可能に嵌合している。
【００１８】
ステム７の下筒部２９には、ピストンガイド３５を嵌着させている。ピストンガイド３５は、ステム７の下筒部２９を嵌合係止する環状の嵌合凹部を上面に有する頂壁部３７と、頂壁部３７外周縁に垂設した外筒部３８とを有する。外筒部３８の上端外周には、外筒部３８外周とシリンダ５内周との間に隙間を形成するための複数の突起３９を周方向に間隔を空けて設けている。また、頂壁部３７の上面には、ピストン部材３１の環状突起３４の下端に当接可能な環状の当接凹部を設けている。
【００１９】
ピストンガイド３５と吸い込み弁１７との間には、コイルスプリング４０を配置している。コイルスプリング４０の上端は、外筒部３８の内周側で、頂壁部３７の下面に当接し、ステム７を上方に付勢している。
【００２０】
ステム７とリングキャップ１０との間には、押し下げヘッド９を押し下げ、垂下壁２４に形成した雌ねじ部２５をリングキャップ１０の案内筒１８の上部外周に形成した雄ねじ部１８ａに螺合させた状態にあるときに、外気導入孔５ａを閉塞する閉塞筒部材４１を設けている。閉塞筒部材４１は、シリンダ５上部に摺動可能に嵌合させて外気導入孔５ａを閉塞可能な摺動閉塞部４２と、該摺動閉塞部４２を下部（本例では下端）外周より周突設する基筒部４３とからなり、押し下げヘッド９が最下降の係止状態に移行する際に、押し下げヘッド９の縦筒２３に設けた下向き段部４４により押し下げられて外気導入孔５ａを閉塞する。
【００２１】
ここで、図２（ａ）、（ｂ）は、比較のために示す押し下げヘッドの一例であり、本実施形態と同様の構成については同一の符号で示したものである。図２（ａ）の押し下げヘッド１０９は、雌ねじ部２５を垂下壁２４の内周面全体にわたって設けており、図２（ｂ）の押し下げヘッド２０９は、垂下壁２４における雌ねじ部２５上方を厚肉に形成している。垂下壁２４における頂壁２２との境界から雌ねじ部２５までの板厚ｔ４は、雌ねじ部２５の凸部先端における板厚ｔ３と略同一である。
【００２２】
図２（ａ）の押し下げヘッド１０９を成形する場合、雌ねじ部２５が垂下壁２４の内周面全体に設けられているために、金型を無理抜きする際、雌ねじ部２５の溝部分に対応する金型の凸部が、特に下方の雌ねじ部２５に繰返し当たり、まくれや、だれなどの異常変形を生じる虞がある。また、図２（ｂ）の押し下げヘッド２０９を成形する場合には、垂下壁２４における雌ねじ部２５上方を厚肉に形成しているために使用する樹脂量が増加する上に、当該部分の剛性が大きくなることで離型時に十分に撓まず、まくれ等の異常変形を生じる虞があり、さらに垂下壁２４が設けられた頂壁２２の上面に、ひけ等の意図しない変形が生じる虞もある。
【００２３】
これに対して、本実施形態の液体噴出器１にあっては、垂下壁２４の雌ねじ部２５を、頂壁２２と垂下壁２４との境界から所定の隙間Ｇをあけて設けたことにより、金型を無理抜きする際に、雌ねじ部２５が金型と擦れてまくれ等の異常変形を生じることを防止することができるとともに、使用する樹脂量を低減することも可能となる。さらに、雌ねじ部２５上方における垂下壁２４の板厚ｔ１を適切に設定することで離型時における十分な撓み変形を実現し、上述のまくれ等の異常変形を防止するとともに、厚肉形状に起因する成形時のひけを防止することも可能となる。ここで、隙間Ｇは、垂下壁２４の上下方向高さHの２０％以上とすることが好ましく、より好適には２０％〜６０％とすることが望ましい。隙間Gが垂下壁２４の上下方向高さHの２０％未満であると、垂下壁２４が十分に弾性変形し難くなり、また６０％を超えると、必要な螺合力や垂下壁２４の剛性が確保し難くなる。なお、本実施形態において、隙間Gは垂下壁２４の上下方向高さHの約５０％となっている。
【００２４】
なお、垂下壁２４における雌ねじ部２５上方の板厚ｔ１は、雌ねじ部２５の凸部先端における板厚ｔ３よりも小さいことが望ましく、より好適には、雌ねじ部２５の溝底における板厚ｔ２以上であることが好ましい。これによれば、垂下壁２４における雌ねじ部２５上方の剛性を大きくなり過ぎない程度に確保し、離型時の撓み変形を容易にしてより確実に成形時の異常変形を防止することができる。
【００２５】
以上、図示例に基づき説明したが、本発明は上述の実施形態に限定されるものでなく、特許請求の範囲の記載範囲内で適宜変更することができるものであり、例えば、内容液を吸い上げるシリンダ内部のポンプ機構をより簡易的な構造としてもよい。
【符号の説明】
【００２６】
１      液体噴出器
２      容器体
３      口部
４      装着筒
５      シリンダ
５ａ    外気導入孔
６      開口
７      ステム
８      ノズル
９      押し下げヘッド
１０    リングキャップ
１１    天壁
１２    側壁
１３    雌ねじ部
１４    フランジ
１５    パイプ
１６    嵌合筒部
１７    吸い込み弁
１８    案内筒
１８ａ  雄ねじ部
１９    縦リブ
２０    嵌合筒
２１    突条
２２    頂壁
２３    縦筒
２４    垂下壁
２５    雌ねじ部
２６    上筒部
２７    貫通孔
２８    縮径部
２９    下筒部
３０    案内筒壁部
３１    ピストン部材
３２    シール筒
３３    ピストン
３４    環状突起
３５    ピストンガイド
３７    頂壁部
３８    外筒部
３９    突起
４０    コイルスプリング
４１    閉塞筒部材
４２    摺動閉塞部
４３    基筒部
４４    下向き段部
【図１】
2015085273.tif 000003
【図２】
2015085273.tif 000004